(57)【要約】【課題】映像の輝度の低下を抑制しながらも、ランプの温度低減化及びランプの寿命向上を図ることができる投写型映像表示装置を提供する。【解決手段】光を投射することにより映像信号に基づく映像を投写して表示する液晶プロジェクタ１は、供給される電力に応じて光を発するランプ２と、ランプ２に供給する電力を制御するためのランプ駆動部６とを備えている。このランプ駆動部６は、水平ブランキング期間及び垂直ブランキング期間の少なくとも一方においてランプ２に供給される電力を低減する。【選択図】図１
2010091970.tif 000002
【特許請求の範囲】
【請求項１】
供給される電力に応じて光を発するランプと、前記ランプに供給する電力を制御するためのランプ駆動部とを備え、前記光を投射することにより映像信号に基づく映像を投写して表示する投写型映像表示装置であって、
前記ランプ駆動部は、水平ブランキング期間及び垂直ブランキング期間の少なくとも一方において前記電力を低減する
ことを特徴とする投写型映像表示装置。
【請求項２】
請求項１に記載の投写型映像表示装置であって、
前記ランプ駆動部は、水平ブランキング期間及び垂直ブランキング期間の双方において前記電力を低減する
ことを特徴とする投写型映像表示装置。
【請求項３】
請求項１または請求項２に記載の投写型映像表示装置であって、
前記映像信号に含まれる同期信号を分離する同期信号分離部と、前記同期信号に基づいてブランキング期間を示す信号を出力するタイミングコントローラとをさらに備え、
前記ランプ駆動部は、前記ブランキング期間を示す信号に基づいて前記電力を低減する
ことを特徴とする投写型映像表示装置。
【請求項４】
請求項３に記載の投写型映像表示装置であって、
前記光のライトバルブとしての液晶パネルと、前記ブランキング期間を示す信号に基づいて前記液晶パネルを駆動する液晶ドライバとをさらに備えている
ことを特徴とする投写型映像表示装置。
【請求項５】
請求項１〜請求項４のいずれか一項に記載の投写型映像表示装置であって、
前記ランプ駆動部は、前記ランプに供給される電圧を変化させるダウンコンバータを備え、前記ダウンコンバータを用いて前記電圧を変化させることにより前記電力を制御する
ことを特徴とする投写型映像表示装置。
【発明の詳細な説明】
【技術分野】
【０００１】
本発明は、映像を投写して表示するためのランプを備える投写型映像表示装置に関する。
【背景技術】
【０００２】
一般に液晶プロジェクタ等の投写型映像表示装置は、映像を投写して表示するために供給される電流に応じて光を発するランプを備えている。液晶プロジェクタは、ＤＶＤプレーヤー等の外部機器から入力された映像信号に基づいて液晶パネルに適切な駆動電圧を与えることにより液晶パネルに画像を形成し、この液晶パネルを透過した光を投写レンズにより投射することによってスクリーンに映像を投写して表示する構成となっている。
【０００３】
また一般に、液晶プロジェクタはランプに供給する電力を制御するためのランプ駆動部としてランプバラストユニットを備えている（例えば、特許文献１参照）。ランプバラストユニットは、例えば定格電力が３００Ｗのランプに電力を供給する場合は、ランプに供給される電圧が６０Ｖとなるように制御して、５Ａの一定の電流がランプに供給されるように制御する。
【特許文献１】特開２００５−３０９０２３号公報
【発明の開示】
【発明が解決しようとする課題】
【０００４】
ところで、投写型映像表示装置により表示される映像の輝度を向上させることが要望される中、ランプの寿命低下やランプの温度上昇が問題となっている。ランプの温度低減化及びランプの寿命向上を図るためには、ランプに供給される一定の電力を低減することが考えられる。
【０００５】
しかしながら、ランプに供給される一定の電力を低減した場合には、映像の輝度が低下することになる。従って、映像の輝度の低下を抑制しながら、ランプの温度低減化及びランプの寿命向上を図ることが困難であるという問題があった。
【０００６】
本発明は、こうした実情に鑑みてなされたものであり、その目的は、映像の輝度の低下を抑制しながらも、ランプの温度低減化及びランプの寿命向上を図ることができる投写型映像表示装置を提供することにある。
【課題を解決するための手段】
【０００７】
請求項１に記載の発明は、供給される電力に応じて光を発するランプと、ランプに供給する電力を制御するためのランプ駆動部とを備え、光を投射することにより映像信号に基づく映像を投写して表示する投写型映像表示装置であって、ランプ駆動部は、水平ブランキング期間及び垂直ブランキング期間の少なくとも一方において上記電力を低減することを特徴とする。
【０００８】
同構成によれば、水平ブランキング期間及び垂直ブランキング期間の少なくとも一方においてランプに供給する電力を低減するランプ駆動部を備えている。このため、映像を表示するための映像期間（即ち、水平ブランキング期間及び垂直ブランキング期間を除く期間）においては、従来と同じ電力をランプに供給することにより映像の輝度を従来と同じ輝度となるようにすることができる。従って、映像の輝度の低下を抑制しながらも、ランプに供給される平均電力を低減させてランプの温度低減化及びランプの寿命向上を図ることができる。
【０００９】
請求項２に記載の発明は、請求項１に記載の投写型映像表示装置であって、ランプ駆動部は、水平ブランキング期間及び垂直ブランキング期間の双方において上記電力を低減することを特徴とする。
【００１０】
同構成によれば、ランプ駆動部は、水平ブランキング期間及び垂直ブランキング期間の双方において電力を低減するため、水平ブランキング期間及び垂直ブランキング期間の一方のみにおいて電力を低減する場合に比し、ランプに供給される平均電力を効果的に低減させることができる。
【００１１】
請求項３に記載の発明は、請求項１または請求項２に記載の投写型映像表示装置であって、映像信号に含まれる同期信号を分離する同期信号分離部と、同期信号に基づいてブランキング期間を示す信号を出力するタイミングコントローラとをさらに備え、ランプ駆動部は、ブランキング期間を示す信号に基づいて上記電力を低減することを特徴とする。
【００１２】
同構成によれば、ランプ駆動部は、タイミングコントローラにより出力されるブランキング期間を示す信号に基づいてランプに供給する電力を低減する。このため、映像信号に含まれる同期信号に基づいたブランキング期間を示す信号に基づいて、水平ブランキング期間及び垂直ブランキング期間の少なくとも一方においてランプに供給する電力を低減することができる。
【００１３】
請求項４に記載の発明は、請求項３に記載の投写型映像表示装置であって、光のライトバルブとしての液晶パネルと、ブランキング期間を示す信号に基づいて液晶パネルを駆動する液晶ドライバとをさらに備えていることを特徴とする。
【００１４】
同構成によれば、液晶ドライバは、タイミングコントローラにより出力されるブランキング期間を示す信号に基づいて液晶パネルを駆動するため、タイミングコントローラにより液晶パネルの駆動とランプの駆動の同期を図ることができる。
【００１５】
請求項５に記載の発明は、請求項１〜請求項４のいずれか一項に記載の投写型映像表示装置であって、ランプ駆動部は、ランプに供給される電圧を変化させるダウンコンバータを備え、ダウンコンバータを用いて電圧を変化させることにより上記電力を制御することを特徴とする。
【００１６】
同構成によれば、ランプ駆動部は、ダウンコンバータを用いてランプに供給される電圧を変化させることによりランプに供給する電力を制御する。このため、ダウンコンバータにより電圧を降下させることにより、水平ブランキング期間及び垂直ブランキング期間の少なくとも一方においてランプに供給する電力を低減させることができる。
【発明の効果】
【００１７】
本発明によれば、映像の輝度の低下を抑制しながらも、ランプに供給される平均電力を低減させてランプの温度低減化及びランプの寿命向上を図ることができる。
【発明を実施するための最良の形態】
【００１８】
以下、本発明の投写型映像表示装置を液晶プロジェクタとして具体化した一実施形態について図面を参照しながら説明する。
図１に示すように、液晶プロジェクタ１は、映像を投写して表示するための光学部品として、光を発するランプ２と、光を透過させて映像を生成する液晶パネル３と、生成された映像を拡大投写して表示するための投写レンズ４とを備えている。
【００１９】
ランプ２は、液晶プロジェクタ１によって表示される映像の光源であって、超高圧水銀ランプやメタルハライドランプ等により構成されている。ランプ２は、供給される交流の電力に応じて光を発する。
【００２０】
液晶パネル３は、複数の画素がｍ行ｎ列のマトリクス状に配列されたライトバルブであって、例えば薄膜トランジスタ（ＴＦＴ：Thin Film Transistor）を用いたアクティブマトリクス方式の液晶パネルである。映像を表示するための映像期間においては液晶パネル３に駆動電圧が供給されることにより、輝度信号を含む走査線に対応する画素が走査される。即ち、所定の１行の画素について、画素を挟む電極に順次電圧が印加されて水平方向の走査が行われる。１行の画素について水平方向の走査を終えると、その１行の画素よりも下に存在する１行の画素について同様の水平方向の走査が行われる。具体的には、インターレース走査方式においてはｋ行目の画素について水平方向の走査を終えると、ｋ＋２行目の画素について水平方向の走査が行われ、プログレッシブ走査方式においてはｋ行目の画素について水平方向の走査を終えると、ｋ＋１行目の画素について水平方向の走査が行われる。このように所定の行の画素について走査を行ってから他の行の画素について走査を行うまでには、映像を表示するための映像期間に含まれない時間（以下、「水平ブランキング期間ＨＢＬＫ」という）が存在する。
【００２１】
また、水平方向の走査を行った画素よりも下に走査すべき他の１行の画素が存在しない場合は、液晶パネル３の上部に設けられた１行の画素について水平方向の走査が行われる。具体的には、インターレース走査方式においてはｍ−１行目またはｍ行目の画素について水平方向の走査を終えると、１行目または２行目の画素について水平方向の走査が行われ、プログレッシブ走査方式においてはｍ行目の画素について水平方向の走査を終えると、１行目の画素について水平方向の走査が行われる。このように液晶パネル３の下部に設けられた画素について走査を行ってから液晶パネル３の上部に設けられた行の画素について走査を行うまでには、水平ブランキング期間ＨＢＬＫよりも長い、映像を表示するための映像期間に含まれない時間（以下、「垂直ブランキング期間ＶＢＬＫ」という）が存在する。
【００２２】
以上のようにして画素を挟む電極に電圧が順次印加されると、電圧が印加された電極間の液晶の配向が変化して、液晶パネル３に画像が形成される。そして、画像が形成された液晶パネル３をランプ２から発せられた光が透過することによって映像が生成される。液晶パネル３を透過した光は投写レンズ４に入射する。
【００２３】
また、液晶プロジェクタ１は、いわゆる３板方式のものである場合は、３枚の液晶パネル３を備えている。この場合、ランプ２から発せられた光は、ダイクロイックミラー（不図示）により赤、緑、及び青の各色の光に分解されて、各色に対応する液晶パネル３を光が透過する。そして、３枚の液晶パネル３を透過した光が合成されることによりフルカラーの映像が生成される構成となっている。
【００２４】
投写レンズ４は、液晶パネル３を透過した光を液晶プロジェクタ１の外部に投射するレンズであって、複数枚のレンズにより構成されている。投写レンズ４に入射した光は、投写レンズ４における屈折を経て液晶プロジェクタ１の外部へ投射される。このようにして、液晶プロジェクタ１は、投写レンズ４から光を投射することにより、液晶プロジェクタ１の外部に設けられたスクリーン（不図示）に映像を投写して表示する。
【００２５】
また、液晶プロジェクタ１は、ランプ２に電力を供給するための構成要素として、液晶プロジェクタ１の各部に電力を供給するための電源回路５と、ランプ２に供給する電力を制御するためのランプ駆動部６とをさらに備えている。
【００２６】
電源回路５は、商用電源から例えば３００〜４００Ｖの直流電圧を得る回路である。電源回路５によって得られた直流電圧がランプ駆動部６に供給されることにより、電源回路５から電力が供給される。
【００２７】
ランプ駆動部６は、負荷であるランプ２の抵抗（即ち、負荷抵抗）が変化した場合であっても所定の電力がランプ２に供給されるように制御するとともに、ランプ２に電力を供給してランプ２を駆動する。このようにしてランプ駆動部６は、電源回路５から供給される電力を用いてランプ２を駆動する。
【００２８】
また、液晶プロジェクタ１は、外部から入力される映像信号に基づき液晶パネル３に画像を形成するための構成要素として、映像信号入力部７と、Ａ／Ｄ変換部８と、映像信号処理部９と、液晶ドライバ１０と、同期信号分離部１１と、タイミングコントローラ１２と、制御部１３とをさらに備えている。
【００２９】
映像信号入力部７は、例えばＮＴＳＣ方式の映像信号を液晶プロジェクタ１に入力するための入力端子であるＳ端子により構成されている。従って、液晶プロジェクタ１には映像信号入力部７を介して５２５本の走査線を有する映像信号が入力される。ＮＴＳＣ方式の映像信号において、５２５本の走査線のうち、４８３本が輝度信号を含む走査線であって、残りの走査線は垂直同期信号等を含む走査線である。
【００３０】
Ａ／Ｄ変換部８は、液晶プロジェクタ１に入力されたアナログ方式の映像信号をデジタル方式の映像信号に変換するＡ／Ｄ変換回路である。Ａ／Ｄ変換部８によってＡ／Ｄ変換された映像信号は、映像信号処理部９に入力される。
【００３１】
映像信号処理部９は、液晶プロジェクタ１に入力された映像信号に対して種々の信号処理を施す集積回路である。具体的には、映像信号処理部９は、制御部１３からの制御信号に基づき、インターレース走査方式の映像信号をプログレッシブ走査方式の映像信号に変換する信号処理や、ＯＳＤ（On Screen Display）画像を映像に重ね合わせるための信号処理等を施す。映像に重ね合わせられるＯＳＤ画像は、液晶プロジェクタ１が備えるメモリ（不図示）に予め記憶されている画像である。映像信号処理部９によって信号処理が施された映像信号は、液晶ドライバ１０に入力される。
【００３２】
液晶ドライバ１０は、映像信号に基づいて液晶パネル３を駆動するための回路である。液晶ドライバ１０によって液晶パネル３を駆動するために映像信号に応じた駆動電圧が液晶パネル３に供給されることにより、液晶パネル３に設けられた画素に対応した電極間に駆動電圧が印加される。
【００３３】
同期信号分離部１１は、映像信号に含まれる水平同期信号や垂直同期信号等の同期信号を分離する同期分離回路である。同期信号分離部１１により映像信号から分離された同期信号はタイミングコントローラ１２に入力される。
【００３４】
タイミングコントローラ１２は、同期信号分離部１１からの同期信号に基づいて、ブランキング期間ＨＢＬＫ，ＶＢＬＫを示す信号ＴＰ（即ち、液晶パネル３を駆動するための所定のタイミングを示すタイミングパルス信号）を液晶ドライバ１０とランプ駆動部６に出力する回路である。なお、本実施形態においては、タイミングコントローラ１２は、映像信号処理部９により走査方式が変換された場合であっても、走査方式変換後の走査方式に対応したブランキング期間ＨＢＬＫ，ＶＢＬＫを示す信号ＴＰを液晶ドライバ１０とランプ駆動部６に出力するように構成されている。即ち、タイミングコントローラ１２は、同期信号分離部１１からの同期信号と、制御部１３からの走査方式を指示するための制御信号とに基づき、ブランキング期間ＨＢＬＫ，ＶＢＬＫを示す信号ＴＰを液晶ドライバ１０とランプ駆動部６に出力する回路である。
【００３５】
制御部１３は、メモリ（不図示）に記憶されたプログラムや情報に基づいて動作するＣＰＵやマイコンであって、液晶プロジェクタ１の各部に制御信号を出力することにより、ランプ駆動部６の制御、映像信号処理部９の制御、及びタイミングコントローラ１２の制御等を行う。具体的には、制御部１３は、ＯＳＤ画像を映像に重ね合わせるように制御する制御信号を映像信号処理部９に出力し、走査方式を指示するための制御信号を映像信号処理部９及びタイミングコントローラ１２に出力する。
【００３６】
以上のように、液晶プロジェクタ１は、供給される電力に応じて光を発するランプ２と、ランプ２に供給する電力を制御するためのランプ駆動部６とを備え、光を投射することにより映像信号に基づく映像を投写して表示する構成となっている。
【００３７】
ここで、本実施形態においては、ランプ駆動部６が、水平ブランキング期間ＨＢＬＫ及び垂直ブランキング期間ＶＢＬＫの双方においてランプ２に供給する電力を低減することに特徴がある。以下、ランプ駆動部６の構成を具体的に説明する。
【００３８】
図２に示すように、ランプ駆動部６は、ダウンコンバータ１４と、インバータ１５と、イグナイタ１６と、外部信号入力部１７と、電力制御部１８と、信号出力部１９とを備えている。
【００３９】
ダウンコンバータ１４は、電力制御部１８からの制御信号に基づき、電源回路５から供給される直流電圧を、ランプ２を点灯するための電圧に降圧するための回路であって、例えば５０〜１２０Ｖの範囲内の電圧に降圧する。ランプ駆動部６は、ダウンコンバータ１４で電圧を適宜降圧することにより、ランプ２の抵抗が変化した場合であっても所定の電力がランプ２に供給されるように制御する。
【００４０】
また、ダウンコンバータ１４は、電力制御部１８からの制御信号に基づき、水平ブランキング期間ＨＢＬＫと垂直ブランキング期間ＶＢＬＫにおいてランプ２に供給する電力を低減するように、電源回路５から供給される直流電圧を降圧する。具体的には、ランプ駆動部６は、ランプ２が消灯しないようにダウンコンバータ１４で電圧を適宜降圧することにより、水平ブランキング期間ＨＢＬＫにおいてランプ２に供給される電流を、映像期間においてランプ２に供給される電流に比べて小さくする。同様に、ランプ駆動部６は、ダウンコンバータ１４で電圧を適宜降圧することにより、垂直ブランキング期間ＶＢＬＫにおいてランプ２に供給される電流を、映像期間においてランプ２に供給される電流に比べて小さくする。
【００４１】
即ち、ランプ駆動部６は、ダウンコンバータ１４を用いて、例えば図４に示すように、映像期間においては第１の電流がランプ２に供給されるように電力を制御し、水平ブランキング期間ＨＢＬＫと垂直ブランキング期間ＶＢＬＫにおいては第１の電流よりも小さい第２の電流がランプ２に供給されるように電力を制御する。より具体的には、ランプ駆動部６は、例えば、映像期間においては３．２Ａの第１の電流がランプ２に供給されるように電力を制御し、７．２μｓの水平ブランキング期間ＨＢＬＫと３６２μｓの垂直ブランキング期間ＶＢＬＫにおいては１．０Ａの第２の電流がランプ２に供給されるように電力を制御する。このように電力を制御することにより、ランプ２に供給される平均の電流は２．５Ａとなり、ランプ２に第１の電流が供給され続ける場合に比し、ランプ２の温度低減化及びランプ２の寿命向上を図ることができ、また、ランプ２に第２の電流が供給され続ける場合に比し、映像の輝度の低下を抑制することができる。
【００４２】
以上のようにして、ダウンコンバータ１４は、電力制御部１８からの制御信号に基づき、電源回路５により得られる直流電圧を降圧して、降圧した直流電圧をインバータ１５に出力する。
【００４３】
インバータ１５は、ＦＥＴ（Field Effect Transistor）等のスイッチング素子により構成されたフルブリッジ回路であって、ダウンコンバータ１４により出力された直流電圧を、ランプ２を駆動するための交流電圧に変換して、この交流電圧をイグナイタ１６に出力する。
【００４４】
イグナイタ１６は、ランプ２の点灯開始時においてランプ２の電極間の絶縁状態を破壊するために、絶縁破壊用の高電圧を発生させる回路である。従って、ランプ２の点灯開始時にはイグナイタ１６により発生した高電圧がランプ２に印加され、ランプ２が点灯するとインバータ１５により出力された交流電圧がそのままランプ２に供給される。
【００４５】
外部信号入力部１７は、タイミングコントローラ１２や制御部１３からの信号を検知する回路である。即ち、外部信号入力部１７は、タイミングコントローラ１２からランプ駆動部６に出力されたブランキング期間ＨＢＬＫ，ＶＢＬＫを示す信号ＴＰを検知して、その検知結果を電力制御部１８に出力する。
【００４６】
電力制御部１８は、メモリ（不図示）に記憶されたプログラムや情報に基づいて動作するＣＰＵやマイコンであって、ランプ駆動部６を構成するダウンコンバータ１４に制御信号を出力することにより、ランプ２に供給される電圧を変化させるダウンコンバータ１４等を制御する。具体的には、電力制御部１８は、ダウンコンバータ１４とインバータ１５とを接続する電力線等から得られる電流や電圧に基づいて、ランプ２の抵抗が変化した場合であっても所定の電力をランプ２に供給させるための制御信号をダウンコンバータ１４に出力する。さらに、電力制御部１８は、外部信号入力部１７の検知結果に基づいて、映像期間においてはランプ２に第１の電流を供給させるための制御信号をダウンコンバータ１４に出力し、ブランキング期間ＨＢＬＫ，ＶＢＬＫにおいてはランプ２に第２の電流を供給させるための制御信号をダウンコンバータ１４に出力する。
【００４７】
信号出力部１９は、電力制御部１８によるダウンコンバータ１４の制御に係る情報に基づいて、ランプ２の点灯状況や、ランプ２に供給される電力等を示す信号を生成し、この信号をランプ駆動部６から制御部１３に出力する。このようにしてランプ駆動部６から出力される信号に基づいて、制御部１３は、ランプ２の点灯状況やランプ２に供給される電力等の情報を得ることができる。そして、制御部１３が、これらの情報を示すＯＳＤ画像を映像に重ね合わせるように制御する制御信号を映像信号処理部９に出力することにより、ランプ２の点灯状況やランプ２に供給される電力の情報が映像として表示されるため、ユーザがランプ駆動部６の動作状態をモニターすることができる。
【００４８】
次に、ランプ２に供給する電力の制御に係る液晶プロジェクタ１の動作を説明する。
図３に示すように、まず、同期信号分離部１１が、映像信号入力部７を介して液晶プロジェクタ１に入力された映像信号から同期信号を分離する（ステップＳ１）。
【００４９】
次いで、タイミングコントローラ１２が、ステップＳ１において分離した同期信号や、制御部１３からの制御信号に基づいて、ブランキング期間ＨＢＬＫ，ＶＢＬＫを示す信号ＴＰをランプ駆動部６に出力する（ステップＳ２）。
【００５０】
次いで、ランプ駆動部６を構成する電力制御部１８が、外部信号入力部１７の検知結果に基づき、ブランキング期間ＨＢＬＫ，ＶＢＬＫであるか否かを判断する（ステップＳ３）。ランプ駆動部６が行うステップＳ３の判断は、微小な時間に繰り返し行われるように構成されている。
【００５１】
ステップＳ３において電力制御部１８がブランキング期間ＨＢＬＫ，ＶＢＬＫでないと判断した場合（即ち、映像期間であると判断した場合、ステップＳ３のＮＯ）は、電力制御部１８が、映像期間においてランプ２に第１の電流を供給させるための制御信号をダウンコンバータ１４に出力することにより、ランプ駆動部６が第１の電流をランプ２に供給する（ステップＳ４）。即ち、ステップＳ４においては、第１の電流がランプ２に供給されるようにダウンコンバータ１４が電圧を降下させる。
【００５２】
一方、ステップＳ３において電力制御部１８がブランキング期間ＨＢＬＫ，ＶＢＬＫであると判断した場合（ステップＳ３のＹＥＳ）は、電力制御部１８が、ブランキング期間ＨＢＬＫ，ＶＢＬＫにおいてランプ２に第２の電流を供給させるための制御信号をダウンコンバータ１４に出力することにより、ランプ駆動部６が第２の電流をランプ２に供給する（ステップＳ５）。即ち、ステップＳ５においては、第２の電流がランプ２に供給されるようにダウンコンバータ１４が電圧を降下させる。
【００５３】
本実施形態の液晶プロジェクタ１によれば、以下の効果を奏することができる。
（１）ランプ駆動部６は、水平ブランキング期間ＨＢＬＫと垂直ブランキング期間ＶＢＬＫにおいてランプ２に供給する電力を低減する。このため、映像を表示するための映像期間（即ち、水平ブランキング期間ＨＢＬＫ及び垂直ブランキング期間ＶＢＬＫを除く期間）においては、従来と同じ電力をランプ２に供給することにより映像の輝度を従来と同じ輝度となるようにすることができる。従って、映像の輝度の低下を抑制しながらも、ランプ２に供給される平均電力を低減させてランプ２の温度低減化及びランプ２の寿命向上を図ることができる。また、液晶プロジェクタ１の省電力化や、ランプ２の温度低減化を図ることによって、ランプ２を冷却するための冷却ファン（不図示）の騒音を低減することができる。
【００５４】
（２）ランプ駆動部６は、水平ブランキング期間ＨＢＬＫ及び垂直ブランキング期間ＶＢＬＫの双方において電力を低減するため、水平ブランキング期間ＨＢＬＫ及び垂直ブランキング期間ＶＢＬＫの一方のみにおいて電力を低減する場合に比し、ランプ２に供給される平均電力を効果的に低減させることができる。
【００５５】
（３）映像信号に含まれる同期信号を分離する同期信号分離部１１と、同期信号に基づいてブランキング期間ＨＢＬＫ，ＶＢＬＫを示す信号ＴＰを出力するタイミングコントローラ１２とを備え、ランプ駆動部６は、ブランキング期間ＨＢＬＫ，ＶＢＬＫを示す信号ＴＰに基づいてランプ２に供給する電力を低減する。このため、映像信号に含まれる同期信号に基づいたブランキング期間ＨＢＬＫ，ＶＢＬＫを示す信号ＴＰに基づいて、水平ブランキング期間ＨＢＬＫと垂直ブランキング期間ＶＢＬＫにおいてランプ２に供給する電力を低減することができる。
【００５６】
（４）光のライトバルブとしての液晶パネル３と、ブランキング期間ＨＢＬＫ，ＶＢＬＫを示す信号ＴＰに基づいて液晶パネル３を駆動する液晶ドライバ１０とを備えている。液晶ドライバ１０は、タイミングコントローラ１２により出力されるブランキング期間ＨＢＬＫ，ＶＢＬＫを示す信号ＴＰに基づいて液晶パネル３を駆動するため、タイミングコントローラ１２により液晶パネル３の駆動とランプ２の駆動の同期を図ることができる。
【００５７】
（５）ランプ駆動部６は、ランプ２に供給される電圧を変化させるダウンコンバータ１４を備え、ダウンコンバータ１４を用いて電圧を変化させることによりランプ２に供給する電力を制御する。このため、ダウンコンバータ１４により電圧を降下させることにより、水平ブランキング期間ＨＢＬＫと垂直ブランキング期間ＶＢＬＫにおいてランプ２に供給する電力を低減させることができる。
【００５８】
また、本発明は、上記実施形態に限定されるものではなく、本発明の趣旨に基づいて種々の設計変更をすることが可能であり、それらを本発明の範囲から除外するものではない。例えば、以下に示すように変更して実施することもできる。
【００５９】
・上記実施形態においては、タイミングコントローラ１２は、同期信号分離部１１からの同期信号と制御部１３からの制御信号とに基づき信号ＴＰを出力していたが、映像信号処理部９により信号処理が施された映像信号の情報に基づき、ブランキング期間ＨＢＬＫ，ＶＢＬＫを示す信号ＴＰを出力するように構成してもよい。このように構成しても、映像信号処理部９により走査方式が変換された場合であっても、走査方式変換後の走査方式に対応したブランキング期間ＨＢＬＫ，ＶＢＬＫを示す信号ＴＰを液晶ドライバ１０とランプ駆動部６に出力することができる。
【００６０】
・上記実施形態においては、映像信号処理部９と制御部１３は個々の集積回路により構成されていたが、１個の集積回路により構成してもよく、同様に、タイミングコントローラ１２と制御部１３を１個の集積回路により構成してもよい。
【００６１】
・上記実施形態においては、ランプ駆動部６は、水平ブランキング期間ＨＢＬＫ及び垂直ブランキング期間ＶＢＬＫの双方においてランプ２に供給する電力を低減していたが、水平ブランキング期間ＨＢＬＫ及び垂直ブランキング期間ＶＢＬＫの少なくとも一方においてランプ２に供給する電力を低減するように構成してもよい。このように構成しても、映像の輝度の低下を抑制しながら、ランプ２に供給される平均電力を低減させてランプ２の温度低減化及びランプ２の寿命向上を図ることができる。
【００６２】
・上記実施形態においては、本発明を液晶プロジェクタ１に適用した場合について説明したが、その他の投写型映像表示装置についても上記各実施形態に準じた態様をもって本発明を適用することはできる。その場合にも上記実施形態に準じた作用効果を奏することができる。
【図面の簡単な説明】
【００６３】
【図１】本発明の実施形態に係る投写型映像表示装置の構成を示すブロック図。
【図２】同実施形態に係る投写型映像表示装置が備えるランプ駆動部の構成を示すブロック図。
【図３】同実施形態に係る投写型映像表示装置の動作の流れを説明するフローチャート。
【図４】同実施形態に係るランプに供給される電流の変化を示すタイミングチャート。
【符号の説明】
【００６４】
ＨＢＬＫ…水平ブランキング期間、ＶＢＬＫ…垂直ブランキング期間、１…液晶プロジェクタ（投写型映像表示装置）、２…ランプ、３…液晶パネル、４…投写レンズ、５…電源回路、６…ランプ駆動部、７…映像信号入力部、８…Ａ／Ｄ変換部、９…映像信号処理部、１０…液晶ドライバ、１１…同期信号分離部、１２…タイミングコントローラ、１３…制御部、１４…ダウンコンバータ、１５…インバータ、１６…イグナイタ、１７…外部信号入力部、１８…電力制御部、１９…信号出力部。
【図１】
2010091970.tif 000003
【図２】
2010091970.tif 000004
【図３】
2010091970.tif 000005
【図４】
2010091970.tif 000006